(57)【要約】【課題】既存のボルトに傾きや歪みや腐食等がある場合でも、既存のボルトを利用して新規の外装材を既存の外装材の表面に容易に取り付けることができる外装材葺替え用冶具を提供する。【解決手段】支持金具４は両側部がスレート板１の凸部８を跨いでその両側の凹部７に配置される一対の脚部１０としてなる。上面部が外装下地材５を支持するための下地材支持面３１としてなる。下地材支持面３１にスレート板１の凸部８から突出している第１の固定具９の上部９ａを挿入するための挿入孔２５と、挿入孔２５から突出している第１の固定具９の上部９ａに係止させる係止片２６とを設ける。補助支持金具はその両側部に外装下地材５を支持するための支持片を突設する。スレート板１の凸部８から突出している第２の固定具に挿着するための切欠部を補助支持金具の底面に設ける。【選択図】　図１
2004108069.tif 000002
【特許請求の範囲】
【請求項１】
既存の壁や屋根のスレート板の表面を新規の外装材で被覆するための外装材葺替え用冶具であって、スレート板の表面に配設される複数の支持金具と、支持金具が配設されない箇所においてスレート板の表面に配設される補助支持金具と、新規の外装材を支持するための支持面を有する外装下地材とで構成され、上記支持金具は断面略逆Ｕ字状に形成され、両側部がスレート板の凸部を跨いでその両側の凹部に配置される一対の脚部としてなり、上面部が外装下地材を支持するための下地材支持面としてなり、スレート板を固定している第１の固定具のスレート板の凸部から突出している上部を挿入するための挿入孔と、挿入孔から突出している第１の固定具の上部に係止させる係止片とを下地材支持面に設け、上記補助支持金具は断面略Ｕ字状に形成され、その両側部に外装下地材を支持するための支持片を略水平方向に突設し、スレート板を固定している第２の固定具のスレート板の凸部から突出している上端部を挿着するための切欠部を補助支持金具の底部に設けて成ることを特徴とする外装材葺替え用冶具。
【請求項２】
補助支持金具の長手方向と略平行に切欠部を形成して成ることを特徴とする請求項１に記載の外層材葺替え用冶具。
【請求項３】
請求項１又は２に記載の外装材葺替え用冶具を用いて既存の壁や屋根のスレート板の表面を新規の外装材で被覆するための外装材葺替え構造において、支持金具をスレート板の表面の複数箇所に配置し、スレート板を固定している第１の固定具のスレート板の凸部から突出している上部を挿入孔に挿入すると共に挿入孔から突出している第１の固定具の上部に係止片を係止することによって支持金具を第１の固定具に固定し、支持金具が配設されていない箇所においてスレート板の表面に補助支持金具を配置し、スレート板を固定している第２の固定具のスレート板の凸部から突出している上端部に補助支持金具の切欠部を挿着して補助支持金具を第２の固定具に固定し、下地材支持面及び支持片に新規の外装下地材を固着すると共に支持面に新規の外装材を固着して成ることを特徴とする外装材葺替え構造。
【請求項４】
補助支持金具を切欠部の長手方向に沿ってスライド移動させて位置合わせして成ることを特徴とする請求項３に記載の外装材葺替え構造。
【発明の詳細な説明】
【０００１】
【発明の属する技術分野】
本発明は、屋根とか壁のリフォームに用いられる外装材葺替え用冶具及び外装材葺替え構造に関するものである。
【０００２】
【従来の技術】
建築分野において、石綿を含むスレート板は、耐火性、耐水性、耐久性に優れているとの理由から、屋根材或いは壁材として広く使用されているが、建築後かなりの年数が経過して例えば屋根材のリフォームが必要となった場合は、スレート板の上から新規のカバールーフを被覆し、ドリルビスをカバールーフからスレート板に打入することで、カバールーフを石綿スレート板に固着することが一般に行われている。
【０００３】
しかしながら、ドリルビスが老巧化しているスレート板に貫通すると、鉄骨の切り粉及びスレート板の切り粉や破片が落下して作業環境の悪化を招くという問題がある。特に、スレート板の場合には、人体に害を及ぼす石綿（アスベスト）を含んだ切り粉が落下する危険性がある。しかも、従来ではドリルビスでスレート板を貫通し、既存の母屋まで打ち込む必要があるために、ドリルビスの打入作業に非常に手間がかかり、葺替えの作業効率が悪いという問題もある。さらに、スレート板の上には、このスレート板を固定している既存のボルトの先端部が突出しており、新規のカバールーフを固着する際に、既存のボルトの不要な先端部分を切断により除去する必要があり、既存のボルトの数が多いためにその切断作業に非常に手間と時間がかかるという問題もあった。
【０００４】
そこで、スレート板の上側（表面）に突出している既存のボルトの先端部に螺合された締結ナットとスレート板との間にパッキンを介在させると共に、スレート板の上面とパッキンとの隙間に断面三角形状をしたクランプ金具の底面部を挿入して取り付け、その後、新規のカバールーフの凸部をクランプ金具の頂部に載置して上からドリルビスをクランプ金具に向けて打入することによって、新規のカバールーフをクランプ金具を介して既存のスレート板上に固定するようにした葺替工法が開示されている（例えば、特許文献１参照。）。
【０００５】
【特許文献１】
特開平１０−２１９９３６号公報（第３−４頁、図１）
【０００６】
【発明が解決しようとする課題】
ところが、一般にスレート板の上方に突出している既存のボルトは、真っ直ぐ上に向かずに、傾いていたり或いは歪んでいたりする場合があり、このような場合、上記公報のようなクランプ金具を用いる工法にあっては、クランプ金具がスレート板の凸部から傾いて取り付けられてしまう場合が多くなり、この場合、新規のカバールーフをクランプ金具に取り付け不能になるおそれがあった。
【０００７】
また、既存のボルトは風雨等に曝されているために腐食している場合が多く、このために、締結ナットが既存のボルトに螺合できずにクランプ金具を既存のボルトに固定することができないことがあり、この場合も新規のカバールーフをクランプ金具に取り付け不能になるおそれがあった。
【０００８】
このため、従来ではスレート板から既存のボルトを一旦引き抜いて打ち直す必要があり、作業に多大な手間がかかる恐れがあった。
【０００９】
本発明は上記の点に鑑みてなされたものであり、既存のボルトに傾きや歪みや腐食等がある場合でも、既存のボルトを利用して新規の外装材を既存の外装材の表面に容易に取り付けることができ、屋根或いは壁のリフォームを簡易かつ外観良く確実に行うことができる外装材葺替え用冶具及び外装材葺替え構造を提供することを目的とするものである。
【００１０】
【課題を解決するための手段】
本発明の請求項１に係る外装材葺替え用冶具は、既存の壁や屋根のスレート板１の表面を新規の外装材２で被覆するための外装材葺替え用冶具であって、スレート板１の表面に配設される複数の支持金具４と、支持金具４が配設されない箇所においてスレート板１の表面に配設される補助支持金具５０と、新規の外装材２を支持するための支持面６を有する外装下地材５とで構成され、上記支持金具４は断面略逆Ｕ字状に形成され、両側部がスレート板１の凸部８を跨いでその両側の凹部７に配置される一対の脚部１０としてなり、上面部が外装下地材５を支持するための下地材支持面３１としてなり、スレート板１を固定している第１の固定具９のスレート板１の凸部８から突出している上部９ａを挿入するための挿入孔２５と、挿入孔２５から突出している第１の固定具９の上部９ａに係止させる係止片２６とを下地材支持面３１に設け、上記補助支持金具５０は断面略Ｕ字状に形成され、その両側部に外装下地材５を支持するための支持片５１を略水平方向に突設し、スレート板１を固定している第２の固定具５２のスレート板１の凸部８から突出している上端部を挿着するための切欠部５３を補助支持金具５０の底部６０に設けて成ることを特徴とするものであり、支持金具４の挿入孔２５に第１の固定具９の上部９ａを挿入すると共に挿入孔２５に挿入された第１の固定具９の上部９ａに係止片２６を係止することによって、スレート板１を固定する第１の固定具９に対して支持金具４を簡単に係止させて固定することができると共に、既存の第１の固定具９の傾きや歪みによって仮りに支持金具４が傾いて取り付けられても、複数の支持金具４の各下地材支持面３１上に亘って外装下地材５を固着することで、支持金具４の傾きを外装下地材５にて矯正できるようになり、これにより外装下地材５に新規の外装材２を安定良く配設できるようになる。また、支持金具４を第１の固定具９に固定する際にナットを螺合しないので、第１の固定具９が腐食していても支持金具４を第１の固定具９に対して取り付け可能となり、既存の第１の固定具９を取り替える必要がないものである。また、上部が短いボルト７０やビス５５などである第２の固定具５２で既存のスレート板１が固定されている箇所では支持金具４の代わりに補助支持金具５０を取り付けることができ、支持金具４を配設できない箇所でも補助支持金具５０で外装下地材５を支持することができて外装下地材５を強固に取り付けることができるものである。
【００１１】
また、本発明の請求項２に係る外装材葺替え用冶具は、請求項１に加えて、補助支持金具５０の長手方向と略平行に切欠部５３を形成して成ることを特徴とするものであり、支持金具４を固定した第１の固定具９と補助支持金具５０を取り付ける第２の固定具５２が一直線上に並んでいなくても、補助支持金具５０を切欠部５３の長手方向に沿ってスライド移動させることによって、外装下地材５を支持できる位置に位置合わせすることができ、補助支持金具５０による外装下地材５の支持を確実に行うことができるものである。
【００１２】
また、本発明の請求項３に係る外装材葺替え構造は、請求項１又は２に記載の外装材葺替え用冶具３を用いて既存の壁や屋根のスレート板１の表面を新規の外装材２で被覆するための外装材葺替え構造において、支持金具４をスレート板１の表面の複数箇所に配置し、スレート板１を固定している第１の固定具９のスレート板１の凸部８から突出している上部９ａを挿入孔２５に挿入すると共に挿入孔２５から突出している第１の固定具９の上部９ａに係止片２６を係止することによって支持金具４を第１の固定具９に固定し、支持金具４が配設されていない箇所においてスレート板１の表面に補助支持金具５０を配置し、スレート板１を固定している第２の固定具５２のスレート板１の凸部８から突出している上端部に補助支持金具５０の切欠部５３を挿着して補助支持金具５０を第２の固定具５２に固定し、下地材支持面３１及び支持片５１に新規の外装下地材５を固着すると共に支持面６に新規の外装材２を固着して成ることを特徴とするものであり、支持金具４の挿入孔２５に第１の固定具９の上部９ａを挿入すると共に挿入孔２５に挿入された第１の固定具９の上部９ａに係止片２６を係止することによって、スレート板１を固定する第１の固定具９に対して支持金具４を簡単に係止させて固定することができると共に、既存の第１の固定具９の傾きや歪みによって仮りに支持金具４が傾いて取り付けられても、複数の支持金具４の各下地材支持面３１上に亘って外装下地材５を固着することで、支持金具４の傾きを外装下地材５にて矯正できるようになり、これにより外装下地材５に新規の外装材２を安定良く配設できるようになる。また、支持金具４を第１の固定具９に固定する際にナットを螺合しないので、第１の固定具９が腐食していても支持金具４を第１の固定具９に対して取り付け可能となり、既存の第１の固定具９を取り替える必要がないものである。また、上部が短いボルト７０やビス５５などである第２の固定具５２で既存のスレート板１が固定されている箇所では支持金具４の代わりに補助支持金具５０を取り付けることができ、支持金具４を配設できない箇所でも補助支持金具５０で外装下地材５を支持することができて外装下地材５を強固に取り付けることができるものである。
【００１３】
また、本発明の請求項４に係る外装材葺替え構造は、請求項３に加えて、補助支持金具５０を切欠部５３の長手方向に沿ってスライド移動させて位置合わせして成ることを特徴とするものであり、支持金具４を固定した第１の固定具９と補助支持金具５０を取り付ける第２の固定具５２が一直線上に並んでいなくても、補助支持金具５０を切欠部５３の長手方向に沿ってスライド移動させることによって、外装下地材５を支持できる位置に位置合わせすることができ、補助支持金具５０による外装下地材５の支持を確実に行うことができるものである。
【００１４】
【発明の実施の形態】
以下、本発明を添付図面に示す実施の形態に基づいて説明する。
【００１５】
この実施の形態では既存の屋根のリフォームについて説明するが、これに限定されるものではない。この屋根には既存の外装材として波板状のスレート板１が葺設されている。スレート板１は既存の固定具である第１の固定具９及び第２の固定具５２を用いて家屋の母屋２１に固着されている。母屋２１は既存の外装下地材であって、例えば、Ｃ型鋼やリップ溝型鋼などから形成されている。
【００１６】
第１の固定具９は図２、３に示すようにフックボルトのようなボルト等であって、スレート板１の凸部８に打入された第１の固定具９の下端部９ｂが母屋２１に固定されている。また、第１の固定具９の上部（先部）９ａはスレート板１の凸部８を貫通してスレート板１の上側に突出しており、この突出した上部９ａにパッキン１３とナット座金１４とがこの順に嵌め込まれ、最後に既存の締付ナット１５が螺合されている。
【００１７】
一方、第２の固定具５２は第１の固定具９と比較して上部がスレート板１の凸部８の表面から上方に大きく突出していないボルト７０や径が細すぎたり太すぎたりするボルト、ビス５５やネジ等の頭部を有する固定具、一直線上に並んでいない固定具などのうちのいずれか一つであって、支持金具４を取り付けることができない固定具である。具体的には、図６（ａ）に示すように、第１の固定具９と同様なボルトにおいて締付ナット１５よりも上側の部分の長さ（余長）が１５ｍｍ未満であるボルト７０、あるいは図６（ｂ）に示すようにビス５５やネジ等の頭部を有するものなどを第２の固定具５２とすることができる。
【００１８】
本発明の外装材葺替え用冶具３は、例えば、厚み１．５〜２．０ｍｍ程度のステンレス鋼板や亜鉛めっき鋼板から形成されるものであり、図１に示すように、既存のスレート板１上に載設される複数の支持金具４と、複数の係止部材４０と、各支持金具４及び補助支持金具５０の上面に載置される長尺の新規の外装下地材５、及び図５（ａ）乃至（ｃ）で示すような一個又は複数の補助支持金具５０とを備えて構成されている。
【００１９】
上記支持金具４は断面略逆Ｕ字状に形成されており、図４（ａ）乃至（ｃ）に示すように、上面部が矩形状の下地材支持面３１として形成されると共に両側部が脚部１０として形成されている。すなわち、新規の外装下地材５を支持するための下地材支持面３１の両端から下方に向けて拡開した形状をして左右一対の脚部１０が下地材支持面３１に一体形成されている。そして、脚部１０はスレート板１の１つの凸部８を跨いでその両側の凹部７に載置されるものであり、この実施の形態では各脚部１０の下端部１０ａは凹部７に沿って湾曲しており、凹部７の上面に沿って安定良く載置されるようになっている。
【００２０】
また、支持金具４の下地材支持面３１の略中央には凹所１７が設けられていると共に平面視で略長孔の挿入孔２５が凹所１７の底面を貫通するように形成されている。下地材支持面３１に設けたこの挿入孔２５は第１の固定具９の直径よりも充分に大きく形成されている。また、上記下地材支持面３１の凹所１７以外の箇所は、新規の外装下地材５を載置するための載置部２７として形成されている。
【００２１】
外装下地材５は、下方に開口したＣ字状凸部５ａの両端からフランジ部５ｂがそれぞれ突出したＣ型チャンネル（ハット型鋼）で構成されており、スレート板１上の複数箇所に配置された支持金具４の各下地材支持面３１の載置部２７上に載置されて支持された状態で、スレート板１の凸部８の長手方向と直交する方向に向けて配置されるものである。ここでは、Ｃ字状凸部５ａの内側に既存の第１の固定具９の上部９ａを収納した状態で、両端のフランジ部５ｂを載置部２７上にそれぞれ載置し、載置部２７の２箇所で各フランジ部５ｂがビスやリベットなどの固定具にて固着されるようになっている。
【００２２】
係止部材４０は略板状に形成されるものであって、その略中央部に一対の係止片２６が切り起こし加工により上方に突出して形成されている。この一対の係止片２６は互いに対向し、且つ一対の係止片２６の先端（上端）が互いに近づくように各係止片２６は傾斜して形成されており、一対の係止片２６の対向する先端（上端）間には間隙２８が形成されている。この間隙２８の寸法は上記の既存の第１の固定具９の上部９ａの直径よりもやや小さめに形成されている。
【００２３】
補助支持金具５０は図５（ａ）乃至（ｃ）に示すように、平面視で矩形状の底部６０の両側に側片部６１を全長に亘って設けると共に両方の側片部６１の上端に外側（底部６０と反対側）に向けて支持片５１を全長に亘って突設することにより形成されている。上記の側片部６１は底部６０に対してほぼ垂直に上側に向いて突出しており、これにより、補助支持金具５０は断面略Ｕ字状（上面が開口する断面略コ字状）に形成されて正荷重を安定して受け持つことができる。また、補助支持金具５０の底部６０には補助支持金具５０の長手方向と略平行に長い切欠部５３が設けられている。切欠部５３は底部６０の長手方向における一方の端部から略中央部にまで至るように形成されている。また、切欠部５３の端部の開口は他の部分に比べて幅広に形成されている。また、切欠部５３は底部６０を厚み方向で貫通するように形成されている。さらに、底部６０はその長手方向と平行な中心線に沿って上向き凸状となるように緩やかに屈曲されており、これにより、補助支持金具５０の底面（底部６０の下面）がスレート板１の凸部８の頂部の表面にほぼ沿った曲面（Ｒ形状）とすることができ、補助支持金具５０をスレート板１の凸部８に取り付けたときに、凸部８の表面と補助支持金具５０の底面との間に隙間があきにくくなって補助支持金具５０のガタツキを少なくすることができると共に補助支持金具５０に加わる新規の外装下地材５や新規の外装材２等の荷重を凸部８の広い面積に分散させることができて老朽化した既存のスレート板１の破損を防止することができるものである。また、補助支持金具５０の長手方向の寸法は支持金具４の前後方向（一対の脚部１０の対向方向と直交する方向であって、支持金具４を凸部８に配設した際に凸部８の長手方向と略平行となる方向）の寸法よりも１．２〜２．０倍程度長く形成されている。
【００２４】
上記新規の外装下地材５は、スレート板１の凸部８の長手方向に所定間隔を隔てた複数箇所に設置されるものであり、各外装下地材５のＣ字状凸部５ａの上面は、新規の外装材２を支持するための支持面６として形成されている。
【００２５】
新規の外装材２はカバールーフなどと称されるものであって、図２のものではフラット部３２と凸部３０とが交互に連続形成された波形の金属単板で構成されているが、その形状は波形には限定されないものであり、また、金属単板に限定されるものでもなく、例えば上下二枚の金属外皮間に断熱材を充填したサンドイッチパネル等であってもよいものである。
【００２６】
そして、上記構成の外装材葺替え用冶具３を用いて既存の屋根のスレート板１上に新規の外装材２を被覆するにあたっては、次のようにして行う。まず、スレート板１の表面（上面）から突出している既存の第１の固定具９に上方から支持金具４を近づけ、支持金具４を徐々に下方に移動させていくことによって、支持金具４の挿入孔２５に下側から第１の固定具９の上部９ａを挿入（被挿）する。このようにしてスレート板１の凸部８の表面から突出している複数の既存の第１の固定具９のそれぞれに支持金具４を装着することにより、スレート板１の１つの凸部８を跨ぐように支持金具４をスレート板１の表面の複数箇所に配置する。尚、支持金具４を取り付ける第１の固定具９はほぼ一直線上に並んでいるものであり、後述のように、一直線上に並んでいない第１の固定具９には支持金具４を取り付けずに補助支持金具５０を取り付けるのが好ましく、この場合、スレート板１の凸部８の上側に突出する第１の固定具９の上部９ａが不要であったり邪魔になったりすることがあるので、第１の固定具９の上部９ａを切断等により除去して第２の固定具５２とすることができる。
【００２７】
次に、支持金具４を装着した第１の固定具９に係止部材４０を装着して支持金具４を係止部材４０で上側から押えて固定する。係止部材４０を第１の固定具９に装着するにあたっては、係止部材４０の一対の係止片２６を互いに離れる方向に弾性的に変形させながらその先端間の間隙２８に第１の固定具９の上部９ａを挿入（被挿）する。このように間隙２８に第１の固定具９の上部９ａを挿入すると、第１の固定具９の上部９ａのネジ溝に一対の係止片２６の先端が入り込むことにより第１の固定具９の上部９ａに係止片２６が弾性的に係止されることになり、これにより、一対の係止片２６で第１の固定具９の上部９ａを挟持して係止部材４０を上側に移動しないように装着することができる。また、間隙２８が第１の固定具９の直径よりもやや小さく形成されていて係止部材４０が第１の固定具９に装着しにくい場合は、係止部材４０を金づち等の打入具で打ち付けて第１の固定具９に打入する。また、係止部材４０は凹所１７内で支持金具４の上面に当接するまで第１の固定具９に挿入することにより、係止部材４０を下地材支持面３１に載置して設けることができると共に係止片２６を下地材支持面３１に設けることができる。また、第１の固定具９への係止片２６の係止により係止部材４０を上動不能に固定すると共にこの係止部材４０で支持金具４を上側から押さえつけることによって、支持金具４を第１の固定具９に固定することができる。尚、支持金具４はその脚部１０で下地材支持面３１を支えているので、凹所１７の下面側が締付ナット１５に接触しない状態で固定されるものである。
【００２８】
そして、上記のように支持金具４と係止部材４０を別体に形成し、第１の固定具９及び下地材支持面３１に対して係止部材４０を移動自在に形成するので、支持金具４と係止部材４０とを別々に第１の固定具９に取り付けることによって、第１の固定具９が傾いていてもその傾きに対応して係止部材４０を移動させながら係止部材４０及び係止片２６の位置調整を行うことができ、係止片２６を第１の固定具９の上部９ａに係止させやすくなるものであり、係止部材４０の取り付け作業が行いやすくなるものである。
【００２９】
一方、支持金具４が配設されない箇所には補助支持金具５０を配設するようにする。「支持金具４が配設されない箇所」とは支持金具４を配設することができない箇所であって、上記の第２の固定具５２でスレート板１が固定されている箇所である。これら固定具５２でスレート板１を母屋２１に固定している箇所は上記のような支持金具４を配設することはできない。そこで、上記のような固定具５２を用いた箇所では補助支持金具５０を配設するようにする。
【００３０】
補助支持金具５０を配設するにあたっては、まず、第２の固定具５２が図６（ａ）に示すようなボルトの場合には、必要に応じて締付ナット１５をボルトに対して少し緩めて締付ナット１５と凸部８の表面との間に隙間を形成する。また、第２の固定具５２が図６（ｂ）に示すようなビス５５やネジ等の場合には、必要に応じて第２の固定具５２を母屋２１に対して少し緩めて第２の固定具５２の頭部５５ａと凸部８の表面との間に隙間を形成する。この時、上記隙間の上下方向の寸法は補助支持金具５０の底部６０の厚みとほぼ同等にする。また、締付ナット１５やビス５５を緩めなくても、締付ナット１５や頭部５５ａと凸部８の表面との間に隙間を形成できる場合は、締付ナット１５やビス５５を緩めなくてもよい。次に、第２の固定具５２の側方から補助支持金具５０を近づけて第２の固定具５２の上端部、すなわち締付ナット１５や頭部５５ａの直下の部分を補助支持金具５０の切欠部５３に挿入することによって、締付ナット１５や頭部５５ａと凸部８の表面との隙間に補助支持金具５０の底部６０の切欠部５３の両側部分を差し込んで、第２の固定具５２に補助支持金具５０を取り付ける。この時、上記隙間の上下方向の寸法と補助支持金具５０の底部６０の厚みとはほぼ同等であるので、補助支持金具５０を金づち等で打ち付けて底部６０の切欠部５３の両側部分を上記隙間に強制的に差し込んで締付ナット１５や頭部５５ａと凸部８の表面との間で挟持し、第２の固定具５２に補助支持金具５０を固定するものである。ここで、補助支持金具５０の長手方向はスレート板１の凸部８の長手方向（軒棟方向）と略平行な状態となる。また、補助支持金具５０の上方には第２の固定具５２の上端部は突出しないものであり、図８に矢印で示すように、補助支持金具５０に対して新規の外装下地材５の設置する際において外装下地材５をスライド移動させて設置位置を決める際に第２の固定具５２が妨げになることはない。
【００３１】
また、補助支持金具５０の長手方向の寸法は、図１４に示すように、新規の外装下地材５の幅寸法Ａと母屋２１の幅寸法Ｂと第２の固定具５２の径Ｃとした場合にこれらの合計（Ａ＋Ｂ＋Ｃ）以上とするのが好ましく、これにより、一つの母屋２１に対して取り付けられている第２の固定具５２が一直線上に並んでいない場合でも新規の外装下地材５を確実に支持できるように補助支持金具５０を配設することができる。第２の固定具５２としては、例えば、図７（ａ）に示すように下端部が略Ｌ字状の係止部６３に形成されたもの、あるいは図７（ｂ）に示すように第２の固定具５２の下端部が略Ｖ字状の係止部６３に形成されたものが用いられる。母屋２１がリップ溝形鋼の場合、図７（ａ）に示す第２の固定具５２は母屋２１の側面（開口していない方の側面）に沿って配置され、その係止部６３を母屋２１の下面に係止することにより母屋２１に取り付けられる。一方、図７（ｂ）に示す第２の固定具５２は母屋２１の上側のリップ片６２に係止部６３を係止することにより母屋２１に取り付けられる。すなわち、図７（ａ）に示す第２の固定具５２と図７（ｂ）に示す第２の固定具５２は、母屋２１を挟んで互いに反対側に取り付けられるものである。従って、一つの母屋２１に対して図７（ａ）に示す第２の固定具５２と図７（ｂ）に示す第２の固定具５２の両方が用いられていると、スレート板１の凸部８の表面における第２の固定具５２の上端部の突出位置が母屋２１の幅寸法分がずれてしまうことになり、このために、一つの母屋２１に対して取り付けられている第２の固定具５２が一直線上に並ばないことがある。そして、このような場合であっても新規の外装下地材５を確実に支持できるように、補助支持金具５０の長手方向の寸法を上記のように設定するものであり、補助支持金具５０の長手方向の寸法は施工現場によっても異なるが、例えば、１４０〜１６０ｍｍにすることができる。また、補助支持金具５０を上記のように比較的全長を長く形成するために、正荷重を分散して受け持たせることができ、老朽化した既存のスレート板１への局所的な荷重負担を軽減することができてスレート板１の破損を低減することができるものである。しかも、図９（ｂ）（ｃ）の想像線で示すように、補助支持金具５０は切欠部５３の長手方向に沿ってスライド移動可能であるので、外装下地材５を支持することができる位置あるいは補助支持金具５０の長手方向の略中央部で外装下地材５を支持することができる位置まで補助支持金具５０をスライド移動して位置合わせすることができ、補助支持金具５０による外装下地材５の支持を確実に行うことができるものである。
【００３２】
また、一つの母屋２１に対して取り付けられている第１の固定具９が一直線上に並んでいない場合でも補助支持金具５０を配設することができる。つまり、略一直線上に並ぶ多数の第１の固定具９に対しては支持金具４を取り付け、一直線上に並んでいない少数の第１の固定具９に対しては補助支持金具５０を取り付けるようにするものである。一つの母屋２１に対して取り付けられている第１の固定具９が一直線上に並んでいない場合において、全ての第１の固定具９に上記の支持金具４を取り付けると、支持金具４が一直線上に並ばず、真っ直ぐな外装下地材５を支持金具４に載置するにあたって、支持金具４に載置されないで固着されない部分が外装下地材５に生じて外装下地材５を強固に取り付けることができない恐れがある。そこで、このように一直線上に並んでいない第１の固定具９に対しては支持金具４よりも長い補助支持金具５０を取り付けることによって、支持金具４を取り付けても支持できない外装下地材５の一部を補助支持金具５０で支持することができ、外装下地材５を強固に取り付けることができるものである。
【００３３】
尚、実際の施工現場においては、スレート板１を固定する固定具は十分な余長を有し且つ略一直線上に並んでいる第１の固定具９が大多数を占めており、第２の固定具５２が用いられている箇所や一直線上に並んでいない第１の固定具９はわずかであり、補助支持金具５０の使用個数は支持金具４の使用個数よりも非常に少ないものである。また、補助支持金具５０に比べて支持金具４は第１の固定具９に加えて一対の脚部１０でも固定されるためにスレート板１への固定強度が高いので、支持金具４を補助支持金具５０よりも多く使用するものであり、補助支持金具５０は支持金具４の補助的な役割で使用するものである。
【００３４】
上記のようにして支持金具４と補助支持金具５０をスレート板１の凸部８の表面に固定した後、図９（ａ）乃至（ｃ）及び図１０に示すように、外装下地材５のフランジ部５ｂを支持金具４の下地材支持面３１の載置部２７上及び補助支持金具５０の支持片５１上に載置し、外装下地材５のフランジ部５ｂを載置部２７及び支持片５１にビス等の固着具にて固着する。ここで、図１１に示すように、支持金具４を取り付けた第１の固定具９ではその上部９ａ全体を新規の外装下地材５のＣ字状凸部５ａの内側に収納するようにする。このようにして複数の支持金具４と補助支持金具５０に亘るように外装下地材５を架設した後、この外装下地材５のＣ字状凸部５ａの支持面６上に新規の外装材２を載置し、図２に示すように、第１の固定具９から外れた位置で新規の外装材２の凸部３０の上方からドリルビス２０を打入して、ドリルビス２０の先端を新規の外装下地材５のＣ字状凸部５ａの上面部に打ち込む。これにより、ドリルビス２０と既存の第１の固定具９とが互いに接触することなく、新規の外装材２を新規の外装下地材５に対して確実に固定できるようになり、この結果、新規の外装下地材５と支持金具４と補助支持金具５０からなる外装材葺替え用冶具３を用いて、新規の外装材２をスレート板１上に簡単に施工できるようになる。尚、ドリルビス２０を打入する位置は第１の固定具９から外れた位置でなくても良く、第１の固定具９の上方位置においてドリルビス２０を打入してもよい。
【００３５】
上記のように本発明では、支持金具４の下地材支持面３１に設けた挿入孔２５及び一対の係止片２６の間の間隙２８に既存の第１の固定具９の上部９ａを差し込むだけで、係止片２６を第１の固定具９の上部９ａに対してワンタッチで係止させて支持金具４を第１の固定具９に固定することができるが、この時、既存の締付ナット１５を緩めたり新たなナットを締めたりする必要がないので、第１の固定具９が腐食していて既存の締付ナット１５や新たなナットが回らない場合でも、支持金具４を第１の固定具９に容易に固定することができるものである。また、挿入孔２５及び間隙２８は支持金具４の下地材支持面３１の略中心に位置しているので、挿入孔２５及び間隙２８に第１の固定具９の上部９ａを押し込むだけで、支持金具４を正確に配置できるものである。
【００３６】
また、支持金具４の下地材支持面３１は既存の第１の固定具９に対して傾動可能となるので、仮りに既存の第１の固定具９に傾きや歪みがあって支持金具４が傾いて取り付けられても、複数の支持金具４の各載置部２７上に亘って新規の外装下地材５を載置することで支持金具４を第１の固定具９に対して傾動させて支持金具４の傾きを矯正することができ、新規の外装下地材５上に外装材２を安定良く施工できるものである。しかも、スレート板１の凸部８と新規の外装材２の凸部３０とを揃えた状態で外観良く施工できるようになる。尚、スレート板１の凸部８と新規の外装材２の凸部３０とを必ずしも揃える必要はなく、互いにずれていてもよく、新規の外装材２はスレート板１の凸部８に影響されないで自由に配設することができる。
【００３７】
しかも、支持金具４と新規の外装下地材５とからなる外装材葺替え用冶具３は、新規の外装材２によって上から覆われるので、屋根の外観が外装材葺替え用冶具３で損なわれるようなこともない。そのうえ、新規の外装材２を外装材葺替え用冶具３を介して既存のスレート板１の既存の第１の固定具９に対して固着できるので、老巧化した既存のスレート板１を傷めることなく且つ切り粉が落下するのを防止しながら、新規の外装材２をスレート板１上に強固に取付けることができる。つまり、新規の外装材２の上からドリルビス２０を打ち込む際には、ドリルビス２０は老巧化したスレート板１には打入されないことから、老巧化したスレート板１に大きな打撃力がかからず、スレート板１に割れやクラックが発生するのを十分に防止できるものであり、特に、人体の害となる石綿を含んだ切り粉が落下する危険性がなく、作業環境面で良好となる。
【００３８】
上記の実施の形態では支持金具４と係止部材４０を別体に形成してそれぞれを別々に第１の固定具９に取り付けるようにしたが、支持金具４に係止部材４０を一体的に形成して両方を一緒に第１の固定具９に取り付けるようにしても良い。図１２、１３には上記と同様に形成される支持金具４と係止部材４０とを一体的に形成したものが示してあって、凹所１７の底面に係止部材４０がリベット等の固定具４１で固定して設けられている。係止部材４０の一対の係止片２６は互いに対向して挿入孔２５の上側に配置されている。また、挿入孔２５の略中央部の上方において一対の係止片２６の対向する先端（上端）間には間隙２８が形成されている。このようにして下地材支持面３１には挿入孔２５と係止片２６が設けられている。尚、この実施の形態の支持金具４の挿入孔２５は、図４に示す上記実施の形態の支持金具４の挿入孔２５よりも小さめに形成されている。
【００３９】
このように係止部材４０を一体的に設けた支持金具４は次のようにして施工することができる。まず、スレート板１の表面（上面）から突出している既存の第１の固定具９に上方から支持金具４を近づけ、支持金具４を徐々に下方に移動させていくことによって、支持金具４の挿入孔２５に下側から第１の固定具９の上部９ａを挿入（被挿）すると共に係止部材４０の一対の係止片２６を互いに離れる方向に弾性的に変形させながら、挿入孔２５の上側に突出した第１の固定具９の上部９ａを間隙２８に下側から挿入（被挿）する。このように間隙２８に第１の固定具９の上部９ａを挿入すると、第１の固定具９の上部９ａのネジ溝に一対の係止片２６の先端が入り込むことにより第１の固定具９の上部９ａに係止片２６が弾性的に係止されることになり、これにより、一対の係止片２６で第１の固定具９の上部９ａを挟持して係止部材４０及び支持金具４を上側に移動しないように第１の固定具９に装着することができる。このようにしてスレート板１の凸部８の表面から突出している複数の既存の第１の固定具９のそれぞれに支持金具４を装着することにより、スレート板１の１つの凸部８を跨ぐように支持金具４をスレート板１の表面の複数箇所に配置して固定する。
【００４０】
そして、このようにして支持金具４をスレート板１の表面に固定した後は上記の実施の形態と同様にして新規の外装材２を施工することができるものである。この実施の形態では第１の固定具９が傾いていない場合に好適に用いることができ、支持金具４と係止部材４０を一体的に形成するので、両方を一緒に第１の固定具９に取り付けることができ、上記の実施の形態に比べて作業性が向上して施工の効率を高めることができるものである。
【００４１】
上記のいずれの実施の形態においてもスレート屋根のリフォームを説明したが、既存の壁であるスレート壁のリフォームも可能である。つまり、本発明の外装材葺替え用冶具３を構成する支持金具４と補助支持金具５０と新規の外装下地材５となる胴縁及びカバーウォール等の新規の外装材２とを準備し、まず、既存のスレート壁の外装材（スレート壁材）の表面から突出している既存の第１の固定具９の上部（先部）９ａに本発明の支持金具４の挿入孔２５を差し込むと共にこの第１の固定具９の上部９ａに係止片２６を弾性的に係止することによって支持金具４を第１の固定具９に取り付け、また、補助支持金具５０も上記の実施の形態と同様にして取り付け、新規の外装下地材５（胴縁）を支持金具４の載置部２７及び補助支持金具５０の支持片５１にビス等で固着した後、新規の外装材２（カバーウォール）を新規の外装下地材５の支持面６にビス等で固着する。これにより、既存の第１の固定具９を取り替えることなく、スレート壁のリフォームを簡易且つ確実に、しかも、外観良く行えるものである。
【００４２】
また本発明の外装材葺替え用冶具３は、一般住宅だけでなく、工場とか体育館などの大型建物における各種のリフォームに広く適用可能である。
【００４３】
【発明の効果】
上記のように本発明の請求項１の発明は、既存の壁や屋根のスレート板の表面を新規の外装材で被覆するための外装材葺替え用冶具であって、スレート板の表面に配設される複数の支持金具と、支持金具が配設されない箇所においてスレート板の表面に配設される補助支持金具と、新規の外装材を支持するための支持面を有する外装下地材とで構成され、上記支持金具は断面略逆Ｕ字状に形成され、両側部がスレート板の凸部を跨いでその両側の凹部に配置される一対の脚部としてなり、上面部が外装下地材を支持するための下地材支持面としてなり、スレート板を固定している第１の固定具のスレート板の凸部から突出している上部を挿入するための挿入孔と、挿入孔から突出している第１の固定具の上部に係止させる係止片とを下地材支持面に設け、上記補助支持金具は断面略Ｕ字状に形成され、その両側部に外装下地材を支持するための支持片を略水平方向に突設し、スレート板を固定している第２の固定具のスレート板の凸部から突出している上端部を挿着するための切欠部を補助支持金具の底部に設けて成ることを特徴とするものであり、支持金具の挿入孔に第１の固定具の上部を挿入すると共に挿入孔に挿入された第１の固定具の上部に係止片を係止することによって、スレート板を固定する第１の固定具に対して支持金具を簡単に係止させて固定することができると共に、既存の第１の固定具の傾きや歪みによって仮りに支持金具が傾いて取り付けられても、複数の支持金具の各下地材支持面上に亘って外装下地材を固着することで、支持金具の傾きを外装下地材にて矯正できるようになり、これにより外装下地材に新規の外装材を安定良く配設できるようになる。また、支持金具を第１の固定具に固定する際にナットを螺合しないので、第１の固定具が腐食していても支持金具を第１の固定具に対して取り付け可能となり、既存の第１の固定具を取り替える必要がないものである。また、上部が短いボルトやビスなどである第２の固定具で既存のスレート板が固定されている箇所では支持金具の代わりに補助支持金具を取り付けることができ、支持金具を配設できない箇所でも補助支持金具で外装下地材を支持することができて外装下地材を強固に取り付けることができるものである。
【００４４】
また、本発明の請求項２の発明は、補助支持金具の長手方向と略平行に切欠部を形成して成ることを特徴とするものであり、支持金具を固定した第１の固定具と補助支持金具を取り付ける第２の固定具が一直線上に並んでいなくても、補助支持金具を切欠部の長手方向に沿ってスライド移動させることによって、外装下地材を支持できる位置に位置合わせすることができ、補助支持金具による外装下地材の支持を確実に行うことができるものである。
【００４５】
本発明の請求項３の発明は、請求項１又は２に記載の外装材葺替え用冶具を用いて既存の壁や屋根のスレート板の表面を新規の外装材で被覆するための外装材葺替え構造において、支持金具をスレート板の表面の複数箇所に配置し、スレート板を固定している第１の固定具のスレート板の凸部から突出している上部を挿入孔に挿入すると共に挿入孔から突出している第１の固定具の上部に係止片を係止することによって支持金具を第１の固定具に固定し、支持金具が配設されていない箇所においてスレート板の表面に補助支持金具を配置し、スレート板を固定している第２の固定具のスレート板の凸部から突出している上端部に補助支持金具の切欠部を挿着して補助支持金具を第２の固定具に固定し、下地材支持面及び支持片に新規の外装下地材を固着すると共に支持面に新規の外装材を固着して成ることを特徴とするものであり、支持金具の挿入孔に第１の固定具の上部を挿入すると共に挿入孔に挿入された第１の固定具の上部に係止片を係止することによって、スレート板を固定する第１の固定具に対して支持金具を簡単に係止させて固定することができると共に、既存の第１の固定具の傾きや歪みによって仮りに支持金具が傾いて取り付けられても、複数の支持金具の各下地材支持面上に亘って外装下地材を固着することで、支持金具の傾きを外装下地材にて矯正できるようになり、これにより外装下地材に新規の外装材を安定良く配設できるようになる。また、支持金具を第１の固定具に固定する際にナットを螺合しないので、第１の固定具が腐食していても支持金具を第１の固定具に対して取り付け可能となり、既存の第１の固定具を取り替える必要がないものである。また、上部が短いボルトやビスなどである第２の固定具で既存のスレート板が固定されている箇所では支持金具の代わりに補助支持金具を取り付けることができ、支持金具を配設できない箇所でも補助支持金具で外装下地材を支持することができて外装下地材を強固に取り付けることができるものである。
【００４６】
また、本発明の請求項４の発明は、補助支持金具を切欠部の長手方向に沿ってスライド移動させて位置合わせして成ることを特徴とするものであり、支持金具を固定した第１の固定具と補助支持金具を取り付ける第２の固定具が一直線上に並んでいなくても、補助支持金具を切欠部の長手方向に沿ってスライド移動させることによって、外装下地材を支持できる位置に位置合わせすることができ、補助支持金具による外装下地材の支持を確実に行うことができるものである。
【図面の簡単な説明】
【図１】本発明の外装材葺替え用冶具の実施の形態の一例を示す斜視図である。
【図２】本発明の外装材葺替え構造の実施の形態の一例を示す正面図である。
【図３】同上の一部を示す正面図である。
【図４】同上の支持金具と係止部材の一例を示し、（ａ）は平面図、（ｂ）は正面図、（ｃ）は側面図である。
【図５】同上の補助支持金具の一例を示し、（ａ）は平面図、（ｂ）は正面図、（ｃ）は側面図である。
【図６】同上の固定具の一例を示し、（ａ）（ｂ）は正面図である。
【図７】同上の補助支持金具を取り付けた状態を示し、（ａ）（ｂ）は断面図である。
【図８】同上の補助支持金具のスライド移動を示す断面図である。
【図９】同上の外装材葺替え用冶具の施工状態の一例を示し、（ａ）乃至（ｃ）は断面図である。
【図１０】同上の補助支持金具と外装下地材の施工状態の一例を示す正面図である。
【図１１】同上の支持金具と外装下地材の施工状態の一例を示す断面図である。
【図１２】同上の支持金具の他例を示す斜視図である。
【図１３】同上の支持金具と係止部材の他例を示し、（ａ）は平面図、（ｂ）は正面図、（ｃ）は側面図である。
【図１４】同上の（ａ）は新規の外装下地材を示す断面図、（ｂ）は母屋を示す断面図、（ｃ）は第２の固定具を示す正面図である。
【符号の説明】
１　スレート板
２　新規の外装材
３　外装材葺替え用冶具
４　支持金具
５　新規の外装下地材
６　支持面
７　凹部
８　凸部
９　第１の固定具
９ａ　上部
１０　脚部
２５　挿入孔
２６　係止片
３１　下地材支持面
４０　係止部材
５０　補助支持金具
５１　支持片
５２　第２の固定具
５３　切欠部
６０　底面
【図１】
2004108069.tif 000003
【図２】
2004108069.tif 000004
【図３】
2004108069.tif 000005
【図４】
2004108069.tif 000006
【図５】
2004108069.tif 000007
【図６】
2004108069.tif 000008
【図７】
2004108069.tif 000009
【図８】
2004108069.tif 000010
【図９】
2004108069.tif 000011
【図１０】
2004108069.tif 000012
【図１１】
2004108069.tif 000013
【図１２】
2004108069.tif 000014
【図１３】
2004108069.tif 000015
【図１４】
2004108069.tif 000016